(57)【要約】  第１の機器とペアリングされたＲＦリモコンを、第１の機器にＨＤＭＩ−ＣＥＣ接続された第２の機器にユーザーの負担を軽減してペアリングする。そのために、表示部を有する第１の機器であるテレビジョンセット（１）と、第１の機器にＨＤＭＩ−ＣＥＣ接続された第２の機器である動画再生装置（３）と、第１の機器との間であらかじめペアリングがなされた電波式リモートコントロール（５）とをシステム構成に含み、第１の機器に登録されている電波式リモートコントロール（５）の識別情報を第１の機器から第２の機器へ送信する第１ステップと、第２の機器の識別情報を含むペアリング情報を第２の機器において作成する第２ステップと、ペアリング情報を第２の機器から第１の機器へ送信する第３ステップと、第１の機器が受信したペアリング情報を第１の機器から電波式リモートコントロール（５）へ送信する第４ステップとを備える。
2010146806.tif 000002
【特許請求の範囲】
【請求項１】
表示部を有する第１の機器と、
前記第１の機器にＨＤＭＩ−ＣＥＣ接続された第２の機器と、
前記第１の機器との間であらかじめペアリングがなされた電波式リモートコントロールとをシステム構成に含み、
前記第１の機器に登録されている前記電波式リモートコントロールの識別情報を前記第１の機器から前記第２の機器へ送信する第１ステップと、
前記第２の機器の識別情報を含むペアリング情報を前記第２の機器において作成する第２ステップと、
前記ペアリング情報を前記第２の機器から前記第１の機器へ送信する第３ステップと、
前記第１の機器が受信した前記ペアリング情報を前記第１の機器から前記電波式リモートコントロールへ送信する第４ステップと、
を備えたことを特徴とするペアリング方法。
【請求項２】
前記第１ステップにより前記第２の機器において前記電波式リモートコントロールの識別情報が受信された後、前記第２の機器が前記電波式リモートコントロールに対応しているかどうかを判断するステップ、をさらに備え、
前記第２の機器が前記電波式リモートコントロールに対応していなければ、ペアリング動作を終了することを特徴とする請求項１に記載のペアリング方法。
【請求項３】
前記第１ステップにより、前記第２の機器において前記電波式リモートコントロールの識別情報を受信した後、前記第２の機器が前記電波式リモートコントロールとすでにペアリングされているかどうかを判断するステップ、をさらに備え、
前記第２の機器がすでに前記電波式リモートコントロールとペアリングされていれば、ペアリング動作を終了することを特徴とする請求項１に記載のペアリング方法。
【請求項４】
前記第３ステップの後、前記第１の機器において前記電波式リモートコントロールと前記第２の機器とのペアリングの実行を確認する表示を前記表示部に表示するステップと、
前記電波式リモートコントロールにおいてペアリングの実行を要求するペアリング要求コードを発生するための所定のユーザー操作が受け付けられたときに、前記ペアリング要求コードを前記電波式リモートコントロールから前記第１の機器へ送信するステップと、をさらに備え、
前記第１の機器において前記ペアリング要求コードを受信した後で前記第４ステップを実行することを特徴とする請求項１に記載のペアリング方法。
【請求項５】
前記電波式リモートコントロールにおいてペアリングの中止を指示するユーザー操作が受け付けられたときに、前記電波式リモートコントロールと前記第２の機器とのペアリングが中止されたことを表す信号を前記第１の機器から前記第２の機器へ送信するステップと、
前記第２の機器において前記電波式リモートコントロールと前記第２の機器とのペアリングが中止されたことを表す信号を受け付けた後、ペアリングが中止されたことを表す情報を前記第２の機器が記憶するステップと、
をさらに備えたことを特徴とする請求項４に記載のペアリング方法。
【請求項６】
前記第１ステップにより、前記第２の機器において前記電波式リモートコントロールの識別情報を受信した後、過去に前記電波式リモートコントロールとのペアリングが中止されたかどうかを判断するステップ、をさらに備え、
過去にペアリングが中止されていれば、ペアリング動作を終了することを特徴とする請求項５に記載のペアリング方法。
【請求項７】
前記電波式リモートコントロールと前記第２の機器とのペアリングを実行するかどうかを確認するペアリング確認要求を前記第２の機器から前記第１の機器に送信するステップと、
前記第２の機器から送信される前記ペアリング確認要求にもとづき、前記第１の機器において前記電波式リモートコントロールと前記第２の機器とのペアリングの実行を確認する表示を前記表示部に表示するステップと、
前記電波式リモートコントロールにおいてペアリングの実行を指示するユーザー操作が受け付けられたときに、前記電波式リモートコントロールと前記第２の機器とのペアリングの実行が選択されたことを表す信号を前記第１の機器から前記第２の機器へ送信するとともに、ペアリングの実行を要求するペアリング要求コードを発生するための所定のユーザー操作を指示する表示を前記表示部に表示するステップと、
前記電波式リモートコントロールにおいて前記所定のユーザー操作が受け付けられたときに、前記ペアリング要求コードを前記電波式リモートコントロールから前記第２の機器へ送信するステップと、
前記第３ステップおよび前記第４ステップに代えて、前記ペアリング情報を前記第２の機器から前記電波式リモートコントロールへ送信する第５ステップと、
をさらに備えたことを特徴とする請求項１に記載のペアリング方法。
【請求項８】
前記第５ステップの後、前記電波式リモートコントロールにおいて前記ペアリング情報が正常に受信されたときに、前記第２の機器の識別情報を前記電波式リモートコントロールに登録するとともに、前記ペアリング情報が正常に受信されたことを表すペアリング確認情報を前記電波式リモートコントロールから前記第２の機器へ送信するステップと、
前記第２の機器において前記電波式リモートコントロールから送信される前記ペアリング確認情報が受信された後、ペアリングの完了を表す情報を前記第２の機器から前記電波式リモートコントロールへ送信するステップと、
をさらに備えたことを特徴とする請求項７に記載のペアリング方法。
【請求項９】
前記電波式リモートコントロールにおいてペアリングの中止を指示するユーザー操作が受け付けられたときに、前記電波式リモートコントロールと前記第２の機器とのペアリングが中止されたことを表す信号を前記第１の機器から前記第２の機器へ送信するステップと、
前記第２の機器において前記電波式リモートコントロールと前記第２の機器とのペアリングが中止されたことを表す信号を受け付けた後、ペアリングが中止されたことを表す情報を前記第２の機器が記憶するステップと、
をさらに備えたことを特徴とする請求項７に記載のペアリング方法。
【請求項１０】
表示部と、
本体制御部と、
あらかじめペアリングがなされた電波式リモートコントロールとの間で電波の送受信を行うＲＦリモコン応答部と、
ＨＤＭＩ−ＣＥＣに準拠した機器とのＨＤＭＩ−ＣＥＣ接続が可能なＨＤＭＩ接続部と、を備え、
前記本体制御部は、前記ＨＤＭＩ接続部にＨＤＭＩ−ＣＥＣ接続された第２の機器へ、前記ＨＤＭＩ接続部を介して前記電波式リモートコントロールの識別情報を送信することを特徴とするテレビジョンセット。
【請求項１１】
前記本体制御部は、前記第２の機器から前記ＨＤＭＩ接続部を介して送信される前記第２の機器の識別情報を含むペアリング情報を受信し、
受信した前記ペアリング情報を前記ＲＦリモコン応答部を介して前記電波式リモートコントロールへ送信することを特徴とする請求項１０に記載のテレビジョンセット。
【請求項１２】
前記本体制御部は、前記第２の機器から前記ＨＤＭＩ接続部を介して送信される前記第２の機器の識別情報を含むペアリング情報を受信した後、前記電波式リモートコントロールと前記第２の機器とのペアリングの実行を確認する表示を前記表示部に表示し、
前記電波式リモートコントロールから送信されるペアリングの実行を要求するペアリング要求コードを前記ＲＦリモコン応答部を介して受信したときには、前記ペアリング情報を前記ＲＦリモコン応答部を介して前記電波式リモートコントロールへ送信し、
前記電波式リモートコントロールから送信されるペアリングの中止指示を前記ＲＦリモコン応答部を介して受信したときには、前記電波式リモートコントロールと前記第２の機器とのペアリングの中止を表す信号を前記ＨＤＭＩ接続部を介して前記第２の機器へ送信することを特徴とする請求項１０に記載のテレビジョンセット。
【請求項１３】
前記本体制御部は、
前記第２の機器から前記ＨＤＭＩ接続部を介して送信される前記電波式リモートコントロールと前記第２の機器とのペアリングを実行するかどうかを確認するペアリング確認要求を受信した後、前記電波式リモートコントロールと前記第２の機器とのペアリングの実行を確認する表示を前記表示部に表示し、
前記電波式リモートコントロールから送信されるペアリングの実行を表す信号を前記ＲＦリモコン応答部を介して受信したときには、前記電波式リモートコントロールと前記第２の機器とのペアリングの実行を表す信号を前記ＨＤＭＩ接続部を介して前記第２の機器へ送信するとともに、ペアリングの実行を要求するペアリング要求コードを発生するための所定のユーザー操作を指示する表示を前記表示部に表示し、
前記電波式リモートコントロールから送信されるペアリングの中止を表す信号を前記ＲＦリモコン応答部を介して受信したときには、前記電波式リモートコントロールと前記第２の機器とのペアリングの中止を表す信号を前記ＨＤＭＩ接続部を介して前記第２の機器へ送信することを特徴とする請求項１０に記載のテレビジョンセット。
【請求項１４】
録画再生部と、
本体制御部と、
ＨＤＭＩ−ＣＥＣに準拠した機器とのＨＤＭＩ−ＣＥＣ接続が可能なＨＤＭＩ接続部と、
電波式リモートコントロールとの間で電波の送受信を行うＲＦリモコン応答部と、を備え、
前記本体制御部は、前記ＨＤＭＩ接続部にＨＤＭＩ−ＣＥＣ接続された第１の機器から、前記第１の機器にペアリングがなされた電波式リモートコントロールの識別情報を、前記ＨＤＭＩ接続部を介して受信し、
前記ＲＦリモコン応答部は、前記本体制御部が前記電波式リモートコントロールの識別情報を受信した後、前記電波式リモートコントロールとの間のペアリングに必要な、自身の識別情報を含むペアリング情報を作成し、前記ペアリング情報を前記第１の機器、または前記電波式リモートコントロールに送信することを特徴とする動画再生装置。
【請求項１５】
ＨＤＭＩ−ＣＥＣに準拠した機器とのＨＤＭＩ−ＣＥＣ接続が可能な第１の機器と、
前記第１の機器にＨＤＭＩ−ＣＥＣ接続された第２の機器と、
前記第１の機器との間であらかじめペアリングがなされた電波式リモートコントロールとをシステム構成に含み、
前記第１の機器は、前記第１の機器に登録されている前記電波式リモートコントロールの識別情報を前記第１の機器から前記第２の機器へ前記ＨＤＭＩ−ＣＥＣ接続を介して送信し、
前記第２の機器は、前記第１の機器から送信される前記電波式リモートコントロールの識別情報を受信後、前記第２の機器の識別情報を含むペアリング情報を作成し、前記ペアリング情報を、前記第１の機器を介して前記電波式リモートコントロールへ送信するか、または前記電波式リモートコントロールへ送信する
ことを特徴とするリモートコントロールシステム。
【発明の詳細な説明】
【技術分野】
【０００１】
本発明は、第１の機器とペアリングされたリモートコントロールを第１の機器にＨＤＭＩ−ＣＥＣ接続された第２の機器にペアリングすることが可能なリモートコントロールシステム、テレビジョンセットおよびペアリング方法に関する。
【背景技術】
【０００２】
近年、高精細な画像信号（例えば、ハイビジョン画像信号等）をデジタル信号に変換して送信するテレビジョン放送（以下、「デジタル放送」とも記す）が開始され、それに伴い、デジタル放送に対応した、薄型、大画面、高精細なテレビジョンセット（以下、「デジタルテレビ」または単に「テレビ」とも記す）が普及してきている。【０００３】
また、デジタル放送を受信し、受信した信号を光ディスクや磁気ディスクに録画して再生することが可能な録画再生装置や、デジタル信号に変換された高精細な画像信号が記録された光ディスクを再生可能な光ディスク再生装置等が普及してきている（以下、上述の録画再生装置および光ディスク再生装置を「動画再生装置」と呼称する）。【０００４】
また、動画再生装置で再生される高精細な画像信号を劣化させることなくデジタルテレビに表示するために、動画再生装置から出力されるデジタル信号をデジタルテレビに伝送するための規格（Ｈｉｇｈ−Ｄｅｆｉｎｉｔｉｏｎ  Ｍｕｌｔｉｍｅｄｉａ  Ｉｎｔｅｒｆａｃｅ：ＨＤＭＩ）が提唱されており、デジタルテレビと動画再生装置とを接続する手段として普及してきている。【０００５】
また、ＨＤＭＩの規格には、ＨＤＭＩ接続された機器間で制御信号をやり取りすることができるＣＥＣ（Ｃｏｎｓｕｍｅｒ  Ｅｌｅｃｔｒｏｎｉｃｓ  Ｃｏｎｔｒｏｌ）と呼ばれる制御機能が追加されたバージョン（以下、「ＨＤＭＩ−ＣＥＣ」と呼称する）がある。ＨＤＭＩ−ＣＥＣに準拠した機器同士は、ＨＤＭＩ−ＣＥＣに準拠したケーブルを用いて、互いをＨＤＭＩ−ＣＥＣ接続することができる。そして、ＨＤＭＩ−ＣＥＣ接続された機器同士では、互いにデジタルデータを送受信するだけでなく、一方の機器が他方の機器を制御し、他方の機器が一方の機器を制御するという相互制御が可能となる。この相互制御の例としては、例えば、テレビの電源を投入すると、その動作にあわせてテレビから動画再生装置に制御信号が送信され、動画再生装置の電源が投入される、といったものや、動画再生装置で動画を再生すると、その動作にあわせて動画再生装置からテレビに制御信号が送信され、テレビの入力信号選択スイッチが切換えられて動画再生装置から出力される動画がテレビに表示される、といったもの等がある。【０００６】
テレビや動画再生装置等を遠隔操作する手段として、赤外線を用いて制御信号を被制御機器に送信する赤外線リモートコントロール（Ｉｎｆｒａｒｅｄ  Ｒａｙｓ  Ｒｅｍｏｔｅ  Ｃｏｎｔｒｏｌ：以下、「ＩＲリモコン」と略記する）が広く普及している。一般に、ＩＲリモコンは、被制御機器と一対一の対応付けがなされており、複数の機器に対しては、機器の数と同数のＩＲリモコンが必要となる。そのため、複数の機器をそれぞれ遠隔操作するときには、都度ＩＲリモコンを持ち替えて操作する、といった煩雑な操作が必要となる。【０００７】
そこで、第１の機器（例えば、テレビ）に対応したＩＲリモコンで、第１の機器に接続された第２の機器（例えば、動画再生装置）を操作できるように、第２の機器を制御するための赤外線送信装置を第１の機器に設け、第１の機器を介して第２の機器を制御する技術が開示されている（例えば、特許文献１参照）。【０００８】
また、赤外線に代えて、高周波の電波（例えば、２．４ＧＨｚ帯域）を用いて被制御機器との間でデータの送受信を行う電波式リモートコントロール（Ｒａｄｉｏ  Ｆｒｅｑｕｅｎｃｙ  Ｒｅｍｏｔｅ  Ｃｏｎｔｒｏｌ：以下、「ＲＦリモコン」と略記する）が徐々に普及しつつある。【０００９】
ＲＦリモコンは、ＩＲリモコンと比較して次のような利点がある。【００１０】
・より多くのデータを送信できる。【００１１】
・データの双方向通信ができる（被制御機器にデータを送信するだけでなく、被制御機器から送信されるデータをＲＦリモコンが受信できる）。【００１２】
・障害物や遮蔽物に強い（ＩＲリモコンは、ＩＲリモコンと被制御機器との間を障害物や遮蔽物によって遮られると、被制御機器の遠隔操作が困難となる。一方、ＲＦリモコンは、多少の障害物や遮蔽物があっても、被制御機器の遠隔操作が可能）。【００１３】
・遠隔操作時の使用方向の制約（指向性）が少ない（ＲＦリモコンは、ＲＦリモコンに内蔵されたアンテナで通信用電波を発生する。被制御機器は、被制御機器に内蔵されたアンテナで通信用電波を受信する。そのため、ＲＦリモコンを被制御機器の方向に向けなくとも、被制御機器の遠隔操作が可能。一方、ＩＲリモコンは、発光素子が発生する赤外線を被制御機器の受光部に受光させなければならないため、被制御機器の設置方向に向けて使用しなければならない）。【００１４】
しかしながら、上述した遮蔽物に強く指向性が低いというＲＦリモコンが有する特徴のため、ＲＦリモコンから出力される電波は複数の機器に同時に受信される可能性が高い。そこで、ユーザーがＲＦリモコンを操作するときに複数の機器が同時に動作するといった誤動作が生じないように、ＲＦリモコンと被制御機器との間には、「ペアリング」と呼ばれる対応付けが必要となる（例えば、特許文献２参照）。【００１５】
このペアリングは、一般的には、次のようにして行われる。なお、ＲＦリモコンおよび被制御機器には、あらかじめ、それぞれの固体を識別するための固有情報（識別情報、Ｉｄｅｎｔｉｆｉｃａｔｉｏｎ  Ｃｏｄｅ：以下、「ＩＤ」または「ＩＤコード」と略記する）を付与しておく必要がある。このＩＤコードとしては、例えばＭＡＣアドレス（Ｍｅｄｉａ  Ａｃｃｅｓｓ  Ｃｏｎｔｒｏｌ  ａｄｄｒｅｓｓ）等がある。【００１６】
１．ＲＦリモコンから被制御機器に対して、ペアリングの実行を要求するデータである「ペアリング要求コード」を送信する。【００１７】
２．被制御機器は、ＲＦリモコンから送信されたペアリング要求コードを受信した後、自身のＩＤコードをＲＦリモコンに送信する。【００１８】
３．ＲＦリモコンは、被制御機器から送信されたＩＤコードを受信した後、自身のＩＤコードを被制御機器に送信する。【００１９】
４．被制御機器は、ＲＦリモコンから送信されたＩＤコードを受信した後、ＩＤコードを正常に受信したことを表す応答コード（Ａｃｋｎｏｗｌｅｄｇｅ  Ｃｏｄｅ：以下、「ＡＣＫコード」と略記する）をＲＦリモコンに送信する。あわせて、このＲＦリモコンのＩＤコードをペアリング相手のＩＤコードとして登録する。【００２０】
５．ＲＦリモコンは、被制御機器から送信されたＡＣＫコードを受信した後、被制御機器のＩＤコードをペアリング相手のＩＤコードとして登録する。【００２１】
このように、ＲＦリモコンと被制御機器は、ペアリングによってＲＦリモコンと被制御機器との双方のＩＤコードを互いに交換してそれぞれで登録するという動作を行うことで、互いを対応付けすることができる。そして、ペアリングが行われた後は、ＲＦリモコンは、自身のＩＤコードおよび被制御機器のＩＤコードが含まれた制御データを送信する。被制御機器は、自身のＩＤコードおよびペアリングにより登録されたＲＦリモコンのＩＤコードが含まれた制御データのみを受け付け、登録されたＲＦリモコンのＩＤコードまたは自身のＩＤコードが含まれないデータを無視する。こうすることによって、被制御機器では、ペアリングが成立したＲＦリモコンから送信される、自身のＩＤコードが含まれた制御データのみが受け付けられることとなり、複数の機器が同時に動作するといった上述の誤動作が防止される。【００２２】
なお、一旦ペアリングがなされると、ＲＦリモコンまたは被制御機器に登録されたＩＤコードが消去されるといった動作（例えば、初期化動作）がなされない限り、ＲＦリモコンと被制御機器とは互いに対応付けられた状態が維持される。したがって、その期間は再度のペアリングは不要である。【００２３】
上述したように、ＨＤＭＩ−ＣＥＣ接続された機器同士では、相互制御が可能となる。そのため、第１の機器にＨＤＭＩ−ＣＥＣ接続された第２の機器を、第１の機器とペアリングされたＲＦリモコンを用い、第１の機器を介して間接的に遠隔操作することができる。これにより、１つのＲＦリモコンで第１の機器と第２の機器とをそれぞれ遠隔操作することができるので、ユーザーの利便性向上を図ることができる。しかし、第２の機器に対しては間接的な遠隔操作となるため、第２の機器にペアリングされたＲＦリモコンを用いて第２の機器を直接的に遠隔操作する場合と比較して、動作に時間がかかる。【００２４】
第１の機器とペアリングされたＲＦリモコンを、第２の機器ともペアリングすれば、１つのＲＦリモコンで第１の機器と第２の機器との双方を直接的に遠隔操作することが可能となり、ユーザーの利便性は向上する。しかしながら、すでに第１の機器とペアリングされたＲＦリモコンを、再度、第２の機器とペアリングしなければならず、ユーザーにとって煩雑な作業が発生する。
【先行技術文献】
【特許文献】
【００２５】
【特許文献１】特開２００３−０３７７５１号公報
【特許文献２】特開２００８−２６３３０８号公報
【発明の概要】
【００２６】
本発明のペアリング方法は、表示部を有する第１の機器と、第１の機器にＨＤＭＩ−ＣＥＣ接続された第２の機器と、第１の機器との間であらかじめペアリングがなされた電波式リモートコントロールとをシステム構成に含み、第１の機器に登録されている電波式リモートコントロールの識別情報を第１の機器から第２の機器へ送信する第１ステップと、第２の機器の識別情報を含むペアリング情報を第２の機器において作成する第２ステップと、ペアリング情報を第２の機器から第１の機器へ送信する第３ステップと、第１の機器が受信したペアリング情報を第１の機器から電波式リモートコントロールへ送信する第４ステップと、を備えたことを特徴とする。
【００２７】
これにより、第１の機器とペアリングされたＲＦリモコンを、第１の機器にＨＤＭＩ−ＣＥＣ接続された第２の機器にペアリングする際のユーザー操作を軽減できるので、ＲＦリモコンと第２の機器とをユーザーの負担を軽減してペアリングすることができる。
【００２８】
また、本発明のテレビジョンセットは、表示部と、本体制御部と、あらかじめペアリングがなされた電波式リモートコントロールとの間で電波の送受信を行うＲＦリモコン応答部と、ＨＤＭＩ−ＣＥＣに準拠した機器とのＨＤＭＩ−ＣＥＣ接続が可能なＨＤＭＩ接続部と、を備え、本体制御部は、ＨＤＭＩ接続部にＨＤＭＩ−ＣＥＣ接続された第２の機器へ、ＨＤＭＩ接続部を介して電波式リモートコントロールの識別情報を送信することを特徴とする。
【００２９】
これにより、第１の機器であるテレビジョンセットとペアリングされたＲＦリモコンを、テレビジョンセットにＨＤＭＩ−ＣＥＣ接続された第２の機器にペアリングする際のユーザー操作を軽減することができる。
【００３０】
また、本発明の動画再生装置は、録画再生部と、本体制御部と、ＨＤＭＩ−ＣＥＣに準拠した機器とのＨＤＭＩ−ＣＥＣ接続が可能なＨＤＭＩ接続部と、電波式リモートコントロールとの間で電波の送受信を行うＲＦリモコン応答部と、を備え、本体制御部は、ＨＤＭＩ接続部にＨＤＭＩ−ＣＥＣ接続された第１の機器から、第１の機器にペアリングがなされた電波式リモートコントロールの識別情報を、ＨＤＭＩ接続部を介して受信し、ＲＦリモコン応答部は、本体制御部が電波式リモートコントロールの識別情報を受信した後、電波式リモートコントロールとの間のペアリングに必要な、自身の識別情報を含むペアリング情報を作成し、作成したペアリング情報を第１の機器、または電波式リモートコントロールに送信することを特徴とする。
【００３１】
これにより、第１の機器とペアリングされたＲＦリモコンを、第１の機器にＨＤＭＩ−ＣＥＣ接続された動画再生装置にペアリングする際のユーザー操作を軽減できるので、ＲＦリモコンと動画再生装置とをユーザーの負担を軽減してペアリングすることができる。
【００３２】
また、本発明のリモートコントロールシステムは、ＨＤＭＩ−ＣＥＣに準拠した機器とのＨＤＭＩ−ＣＥＣ接続が可能な第１の機器と、第１の機器にＨＤＭＩ−ＣＥＣ接続された第２の機器と、第１の機器との間であらかじめペアリングがなされた電波式リモートコントロールとをシステム構成に含み、第１の機器は、第１の機器に登録されている電波式リモートコントロールの識別情報を第１の機器から第２の機器へＨＤＭＩ−ＣＥＣ接続を介して送信し、第２の機器は、第１の機器から送信される電波式リモートコントロールの識別情報を受信後、第２の機器の識別情報を含むペアリング情報を作成し、ペアリング情報を、第１の機器を介して電波式リモートコントロールへ送信するか、または電波式リモートコントロールへ送信することを特徴とする。
【００３３】
これにより、第１の機器とペアリングされたＲＦリモコンを、第１の機器にＨＤＭＩ−ＣＥＣ接続された第２の機器にペアリングする際のユーザー操作を軽減できるので、ＲＦリモコンと第２の機器とをユーザーの負担を軽減してペアリングすることができる。
【図面の簡単な説明】
【００３４】
【図１】図１は、本発明の実施の形態１におけるリモートコントロールシステムの構成の一例を示すブロック図である。
【図２Ａ】図２Ａは、リモコン識別情報を模式的に示す図である。
【図２Ｂ】図２Ｂは、ペアリング情報を模式的に示す図である。
【図３】図３は、本発明の実施の形態１におけるリモートコントロールシステムにおいてテレビを介して動画再生装置とＲＦリモコンとの間でペアリングを行うときのフローチャートである。
【図４】図４は、本発明の実施の形態２におけるリモートコントロールシステムにおいてテレビを介して動画再生装置とＲＦリモコンの間でペアリングを行うときのフローチャートである。
【図５】図５は、本発明の実施の形態３におけるリモートコントロールシステムにおいてテレビを介さずに動画再生装置とＲＦリモコンとの間でペアリングを行うときのフローチャートである。
【発明を実施するための形態】
【００３５】
以下、本発明の実施の形態におけるリモートコントロールシステムについて、図面を用いて説明する。
【００３６】
（実施の形態１）
図１は、本発明の実施の形態１におけるリモートコントロールシステムの構成の一例を示すブロック図である。図１に示すように、本実施の形態におけるリモートコントロールシステムは、第１の機器であるテレビ１、第２の機器である動画再生装置３、ＲＦリモコン５で構成される。しかし、図１に示す構成は本実施の形態における一構成例に過ぎず、本発明のリモートコントロールシステムは何ら図１に示す構成に限定されるものではない。
【００３７】
テレビ１は、表示部である画像表示部１０、本体制御部１４、ＨＤＭＩ接続部１５、ＲＦリモコン応答部２０、ＨＤＭＩコネクタ２、音声出力部（図示せず）を有する。
【００３８】
画像表示部１０は、パネル１１、パネル駆動部１２、信号処理部１３を有する。信号処理部１３は、テレビ１に備えられたチューナー（図示せず）で受信されるテレビジョン放送の信号や、動画再生装置３等からテレビ１に入力される信号を信号処理し、パネル１１に表示するための画像信号にする。パネル駆動部１２は、信号処理部１３から出力される画像信号に応じてパネル１１を駆動する。
【００３９】
パネル１１は、例えば、プラズマディスプレイパネル（Ｐｌａｓｍａ  Ｄｉｓｐｌａｙ  Ｐａｎｅｌ）、または液晶ディスプレイパネル（Ｌｉｑｕｉｄ  Ｃｒｙｓｔａｌ  Ｄｉｓｐｌａｙ  Ｐａｎｅｌ）、またはＥＬディスプレイパネル（Ｅｌｅｃｔｒｏ  Ｌｕｍｉｎｅｓｃｅｎｃｅ  Ｄｉｓｐｌａｙ  Ｐａｎｅｌ）等の、一般に用いられている動画像を表示可能な装置により構成されている。そして、パネル駆動部１２によってパネル１１が駆動されることで、テレビ１で受信されるテレビジョン放送の動画像や、動画再生装置３等の外部機器からテレビ１に入力される動画像がパネル１１の画像表示面に表示される。
【００４０】
本体制御部１４は、一般に用いられているマイクロコンピュータ（Ｍｉｃｒｏ  Ｃｏｍｐｕｔｅｒ、図示せず）、オンスクリーンデータ（Ｏｎ  Ｓｃｒｅｅｎ  Ｄａｔａ：ＯＳＤ）やテレビ１の制御に必要な各種の情報等が記憶された記憶部（図示せず）、を有し、ユーザーからの操作等にもとづいて、テレビ１に備えられた各ブロックを制御する。
【００４１】
ＨＤＭＩ接続部１５は、ＨＤＭＩ制御部１６、ＣＥＣ通信部１７、ＨＤＭＩ受信部１８を有する。ＨＤＭＩ制御部１６は、ＨＤＭＩ−ＣＥＣに準拠して動作するように構成され、本体制御部１４と協働しながら、ＣＥＣ通信部１７、ＨＤＭＩ受信部１８を制御する。これにより、テレビ１は、ＨＤＭＩ−ＣＥＣに準拠した他の機器を、ＨＤＭＩコネクタ２を介してＨＤＭＩ−ＣＥＣ接続することができる。
【００４２】
ＨＤＭＩ受信部１８は、ＨＤＭＩコネクタ２を介して入力される画像信号、音声信号、その他の情報信号を含むＨＤＭＩに準拠した形式のデジタル信号を受信し、信号別に分離する。そして、例えば画像信号を画像表示部１０に送信し、音声信号を音声出力部に送信するといったように、分離後の各信号をそれぞれ適切なブロックに送信する。
【００４３】
ＣＥＣ通信部１７は、ＨＤＭＩ−ＣＥＣに準拠した制御データ（ＣＥＣ信号）を、テレビ１にＨＤＭＩ−ＣＥＣ接続された他の機器（例えば、動画再生装置３）との間で送受信する。
【００４４】
ＲＦリモコン応答部２０は、ＲＦリモコン制御部２１、ＲＦ信号送受信部２２、登録データ記憶部２３を有する。ＲＦリモコン制御部２１は、すでにテレビ１とペアリングがなされたＲＦリモコン５との間でデータの双方向通信を行うように動作し、本体制御部１４と協働しながら、ＲＦ信号送受信部２２、登録データ記憶部２３を制御する。
【００４５】
ＲＦ信号送受信部２２は、例えば、２．４ＧＨｚ帯域の電波を受発信できるアンテナ（図示せず）を有しており、このアンテナを用いて電波を受発信してデータの送受信を行う。登録データ記憶部２３は、例えば半導体記憶素子や磁気ディスク記憶装置等の、データを任意に書込み・読出しすることが可能な記憶装置（図示せず）を有し、例えば、テレビ１との間ですでにペアリングがなされているＲＦリモコン５のリモコン識別情報等を記憶する。図２Ａは、リモコン識別情報を模式的に示す図である。リモコン識別情報とは、ＲＦリモコンのＩＤコード（例えば、ＭＡＣアドレス）、ＲＦリモコンで使用されるリモコンコード（ＲＦリモコンから被制御機器に送信される制御データのセットのこと）のバージョン、ＲＦリモコンに対応する機器の種類、等のＲＦリモコンに関する複数のデータが１つのセットになったものであり、ＲＦリモコンが被制御機器とペアリングされる際に必要となる情報である。
【００４６】
動画再生装置３は、録画再生部３０、本体制御部３４、ＨＤＭＩ接続部３５、ＲＦリモコン応答部４０、ＨＤＭＩコネクタ４を有する。
【００４７】
録画再生部３０は、記録部３１、記録制御部３２、信号処理部３３を有する。信号処理部３３は、録画再生部３０に備えられたチューナー（図示せず）で受信されるテレビジョン放送の信号や動画再生装置３の外部機器から動画再生装置３に入力される信号等を信号処理し、記録部３１に記録可能な信号にする。また、記録部３１から取り出される信号、光ディスク再生部（図示せず）で光ディスクから取り出される信号等を信号処理し、テレビ１に送信するための信号にする。記録部３１は、データを任意に書込み・読出しすることが可能な磁気ディスク（図示せず）を有し、動画再生装置３に備えられたチューナー（図示せず）で受信されるテレビジョン放送の信号や動画再生装置３の外部機器から動画再生装置３に入力される信号等を読出し可能な形式で記録する。記録制御部３２は、記録部３１に信号が正常に記録されるように、あるいは、記録部３１から信号が正常に読み出されるように、本体制御部３４と協働しながら、記録部３１を制御する。
【００４８】
本体制御部３４は、一般に用いられているマイクロコンピュータ（図示せず）、動画再生装置３の制御に必要な各種の情報等が記憶された記憶部（図示せず）、を有し、ユーザーからの操作等にもとづいて、動画再生装置３に備えられた各ブロックを制御する。
【００４９】
ＨＤＭＩ接続部３５は、ＨＤＭＩ接続部１５とほぼ同様の構成であり、ＨＤＭＩ制御部３６、ＣＥＣ通信部３７、ＨＤＭＩ送信部３８を有する。ＨＤＭＩ制御部３６は、ＨＤＭＩ−ＣＥＣに準拠して動作するように構成され、本体制御部３４と協働しながら、ＣＥＣ通信部３７、ＨＤＭＩ送信部３８を制御する。ＨＤＭＩ送信部３８は、画像信号、音声信号、その他の情報信号を含む信号をＨＤＭＩに準拠した形式のデジタル信号にし、ＨＤＭＩコネクタ４を介して外部（図１に示す例では、テレビ１）に出力する。ＣＥＣ通信部３７は、ＨＤＭＩ−ＣＥＣに準拠した制御データ（ＣＥＣ信号）を、動画再生装置３にＨＤＭＩ−ＣＥＣ接続された他の機器（図１に示す例では、テレビ１）との間で送受信する。
【００５０】
ＲＦリモコン応答部４０はＲＦリモコン応答部２０とほぼ同様の構成であり、ＲＦリモコン制御部４１、ＲＦ信号送受信部４２、登録データ記憶部４３を有する。ＲＦリモコン制御部４１は、本体制御部３４と協働しながら、ＲＦ信号送受信部４２、登録データ記憶部４３を制御する。また、ＲＦリモコン制御部４１は、本体制御部３４からの要求に応じて、ＲＦリモコン５とのペアリングに必要なペアリング情報を作成する。図２Ｂは、ペアリング情報を模式的に示す図である。このペアリング情報とは、ＲＦリモコンのＩＤコード（例えば、ＭＡＣアドレス）、ＲＦリモコン５から見た被制御機器（本実施の形態では、第２の機器である動画再生装置３）のＩＤコード（例えば、ＭＡＣアドレス）、同被制御機器（本実施の形態では、動画再生装置３）が親となるネットワークのＰＡＮ−ＩＤ（Ｐｅｒｓｏｎａｌ  Ａｒｅａ  Ｎｅｔｗｏｒｋ  ＩＤ）、ＲＦリモコンのショートアドレス、同被制御機器（本実施の形態では、動画再生装置３）のショートアドレス、暗号鍵、同被制御機器（本実施の形態では、動画再生装置３）の種類、等の複数のデータが１つのセットになったものであり、ＲＦリモコン５と動画再生装置３とをペアリングする際に必要となる情報である。なお、ＰＡＮとは、個人が使用する機器同士の通信に使用されるネットワークのことである。１つのＰＡＮは１つの親（Ｔａｒｇｅｔ）と１つ以上の子（Ｃｏｎｔｒｏｌｌｅｒ）から構成され、ＰＡＮ毎に番号が付与される。この番号がＰＡＮ−ＩＤである。また、ショートアドレスとは、ＰＡＮ内の各機器のアドレスのことであり、親がショートアドレスを作成、管理する。
【００５１】
ＲＦ信号送受信部４２は、例えば、２．４ＧＨｚ帯域の電波を受発信できるアンテナ（図示せず）を有しており、このアンテナを用いて電波を受発信してデータの送受信を行う。登録データ記憶部４３は、例えば半導体記憶素子や磁気ディスク記憶装置等の、データを任意に書込み・読出しすることが可能な記憶装置（図示せず）を有し、動画再生装置３との間ですでにペアリングがなされているＲＦリモコン（図示せず）のリモコン識別情報等を記憶する。
【００５２】
ＲＦリモコン５は、操作受け付け部５０、ＲＦリモコン制御部５１、ＲＦ信号送受信部５２、登録データ記憶部５３を有する。
【００５３】
操作受け付け部５０は、一般に用いられているリモコンと同様に、０から９までの数字が記されたチャンネルボタン、チャンネルを昇順変更または降順変更するチャンネル変更ボタン、音量変更ボタン、電源オン・オフボタン等の複数のボタンを有する。なお、後述するように、本実施の形態において、ＲＦリモコン５は、複数の被制御機器（例えば、テレビ１および動画再生装置３）とペアリングされる。そのため、操作受け付け部５０は、複数の被制御機器のいずれかを選択することができるスイッチ（図示せず）を有する構成であってもよい。そして、操作受け付け部５０は、ユーザーのボタン操作およびスイッチ操作に応じた信号を発生し、ＲＦリモコン制御部５１に送信する。
【００５４】
ＲＦリモコン制御部５１は、操作受け付け部５０において受け付けられたユーザー操作にもとづき、すでにＲＦリモコン５とペアリングがなされた被制御機器（例えば、テレビ１）のＩＤコードを含む制御データを発生し、被制御機器（例えば、テレビ１）との間でデータの双方向通信を行うように、ＲＦ信号送受信部５２、登録データ記憶部５３を制御する。また、ＲＦリモコン５が複数の被制御機器とペアリングされた後は、上述のスイッチ等によって選択される被制御機器のＩＤコードを含む制御データを発生するように動作する。これにより、ユーザーは、複数の機器とペアリングされたＲＦリモコン５を用い、いずれか１つの機器を被制御機器として指定して、遠隔操作することが可能となる。
【００５５】
ＲＦ信号送受信部５２は、例えば、２．４ＧＨｚ帯域の電波を受発信できるアンテナ（図示せず）を有しており、このアンテナを用いて電波を受発信し、被制御機器（例えば、テレビ１）との間で上述の制御データを含むデータの送受信を行う。登録データ記憶部５３は、例えば半導体記憶素子等の、データを任意に書込み・読出しすることが可能な記憶装置（図示せず）を有し、ＲＦリモコン５とすでにペアリングされている被制御機器（例えば、テレビ１）のＩＤデータ等を記憶する。なお、複数の被制御機器との間でペアリングするときには、ペアリングされた被制御機器の全てのＩＤデータが登録データ記憶部５３に記憶される。
【００５６】
次に、本実施の形態における動画再生装置３とＲＦリモコン５との間でペアリングを行うときの動作についてフローチャートを用いて説明する。
【００５７】
図３は、本発明の実施の形態１におけるリモートコントロールシステムにおいてテレビ１を介して動画再生装置３とＲＦリモコン５との間でペアリングを行うときのフローチャートである。
【００５８】
まず、第１の機器であるテレビ１と第２の機器である動画再生装置３との双方に電源が投入された状態で動作が開始する（ステップＳ１）。次に、ＨＤＭＩ−ＣＥＣに準拠した機器であるかどうかを確認するための信号がテレビ１と動画再生装置３との間で互いに送受信され、ＣＥＣ通信が確立される（ステップＳ２）。
【００５９】
ＣＥＣ通信が確立されると、ＨＤＭＩ制御部１６は、本体制御部１４を介してＲＦリモコン制御部２１に、テレビ１とすでにペアリングがなされているＲＦリモコンに関する問い合わせをする。ＲＦリモコン制御部２１は、その問い合わせを受けて、登録データ記憶部２３からＲＦリモコン５のリモコン識別情報を読出し、そのリモコン識別情報を、本体制御部１４を介して、ＨＤＭＩ制御部１６に引き渡す。そして、第１ステップとして、ＨＤＭＩ制御部１６は、そのリモコン識別情報を、ＣＥＣ通信部１７を介して動画再生装置３に送信する（ステップＳ３）。
【００６０】
動画再生装置３では、テレビ１からＣＥＣ通信で送信されてくるリモコン識別情報をＣＥＣ通信部３７で受信し、受信したリモコン識別情報をＨＤＭＩ制御部３６を介して本体制御部３４に転送する（ステップＳ４）。本体制御部３４は、受取ったリモコン識別情報が登録データ記憶部４３にすでに登録された情報であるかどうかをＲＦリモコン制御部４１に問い合わせる。これにより、動画再生装置３は、ＲＦリモコン５と動画再生装置３とがすでにペアリング済であるかどうかを判断する（ステップＳ５）。
【００６１】
ステップＳ５において、本体制御部３４で受取ったリモコン識別情報がすでに登録データ記憶部４３に登録されている、すなわち、ＲＦリモコン５が動画再生装置３にすでにペアリングされていると判断されれば、本体制御部３４は、すでにＲＦリモコン５と動画再生装置３とのペアリングがなされていることを表すメッセージを、動画再生装置３の表示部（図示せず）に表示するか、または、そのメッセージの表示に必要な信号をテレビ１に送信してテレビ１の画像表示部１０にそのメッセージを表示して（ステップＳ６）、ペアリング動作を終了する。
【００６２】
ステップＳ５において、本体制御部３４で受取ったリモコン識別情報は登録データ記憶部４３に登録されていない、すなわち、ＲＦリモコン５は動画再生装置３にペアリングされていないと判断されれば、本体制御部３４は、受取ったリモコン識別情報を解読して、動画再生装置３がＲＦリモコン５に対応する機器かどうかを判断する（ステップＳ７）。
【００６３】
ステップＳ７において、動画再生装置３がＲＦリモコン５に対応する機器ではないと判断されれば、本体制御部３４は、動画再生装置３がＲＦリモコン５に対応していないことを表すメッセージを、動画再生装置３の表示部に表示するか、または、そのメッセージの表示に必要な信号をテレビ１に送信してテレビ１の画像表示部１０にそのメッセージを表示して（ステップＳ８）、ペアリング動作を終了する。
【００６４】
ステップＳ７において、動画再生装置３がＲＦリモコン５に対応する機器であると判断されれば、本体制御部３４は、ＲＦリモコン５とのペアリングが強制中止された記録があるかどうかをＲＦリモコン制御部４１に問い合わせる。そして、ＲＦリモコン制御部４１は、登録データ記憶部４３内に、ＲＦリモコン５とのペアリングが強制中止された記録があるかどうかを確認する（ステップＳ９）。
【００６５】
ステップＳ９において、ＲＦリモコン５とのペアリングが強制中止された記録が確認されれば、本体制御部３４は、ＲＦリモコン５とのペアリングを行わないことを表すメッセージを、動画再生装置３の表示部に表示するか、または、そのメッセージの表示に必要な信号をテレビ１に送信してテレビ１の画像表示部１０にそのメッセージを表示して（ステップＳ１０）、ペアリング動作を終了する。
【００６６】
これにより、ＲＦリモコン５と動画再生装置３とのペアリングを中止する操作がユーザーによって一旦なされれば、それ以降、ＲＦリモコン５と動画再生装置３とのペアリング動作を自動でスキップすることが可能となる。したがって、ＲＦリモコン５を動画再生装置３にペアリングすることをユーザーが希望しないときに、ＲＦリモコン５と動画再生装置３とのペアリング動作が実行される度にその動作を中止する、というユーザー操作を行わなくともよくなる。
【００６７】
ステップＳ９において、ＲＦリモコン５とのペアリングが強制中止された記録が確認されなければ、本体制御部３４は、ユーザーから、あらかじめ定められたペアリング強制中止の操作がなされていないかを確認する（ステップＳ１１）。なお、このあらかじめ定められたペアリング強制中止の操作の例としては、例えば、動画再生装置３に備え付けられたユーザー操作用のボタン操作によるものや、動画再生装置３とあらかじめペアリングされているＲＦリモコンによる操作等を挙げることができる。
【００６８】
ステップＳ１１において、ペアリング強制中止の操作が確認されれば、本体制御部３４は、ＲＦリモコン制御部４１を介して、ペアリングが強制中止されたことを表す情報を登録データ記憶部４３に記録する。そして、ＲＦリモコン５とのペアリングが中止されたことを表すメッセージを、動画再生装置３の表示部に表示するか、または、そのメッセージの表示に必要な信号をテレビ１に送信してテレビ１の画像表示部１０にそのメッセージを表示して（ステップＳ１２）、ペアリング動作を終了する。
【００６９】
ステップＳ１１において、ペアリング強制中止の操作が確認されなければ、本体制御部３４は、ＲＦリモコン制御部４１に対してＲＦリモコン５とのペアリングに必要なペアリング情報を要求する。その要求を受けたＲＦリモコン制御部４１は、第２ステップとしてペアリング情報を作成する。そして、そのペアリング情報を本体制御部３４を介してＨＤＭＩ制御部３６に送信する（ステップＳ１３）。
【００７０】
そして、第３ステップとして、ＨＤＭＩ制御部３６は、そのペアリング情報を、ＣＥＣ通信部３７を介してテレビ１に送信する（ステップＳ１４）。
【００７１】
テレビ１では、動画再生装置３からＣＥＣ通信で送信されてくるペアリング情報をＣＥＣ通信部１７で受信し、受信したペアリング情報をＨＤＭＩ制御部１６を介して本体制御部１４に転送する（ステップＳ１５）。そして、本体制御部１４は、ペアリング情報をＲＦリモコン制御部２１に転送する。そして、第４ステップとして、ＲＦリモコン制御部２１は、受取ったペアリング情報を、ＲＦ信号送受信部２２を介してＲＦリモコン５に送信する（ステップＳ１６）。
【００７２】
ＲＦリモコン５では、テレビ１から送信されてくるペアリング情報をＲＦ信号送受信部５２で受信してＲＦリモコン制御部５１に引き渡し、ＲＦリモコン制御部５１は、受取ったペアリング情報を登録データ記憶部５３に記録する（ステップＳ１７）。なお、このペアリング情報には、動画再生装置３のＩＤデータが含まれているので、登録データ記憶部５３には動画再生装置３のＩＤデータが登録されることになる。
【００７３】
そして、ＲＦリモコン制御部５１は、動画再生装置３で作成されたペアリング情報を正常に受信したことを表すペアリング確認情報を、ＲＦ信号送受信部５２を介して、動画再生装置３に送信する（ステップＳ１８）。
【００７４】
動画再生装置３では、ＲＦリモコン５から送信されてくるペアリング確認情報をＲＦ信号送受信部４２で受信し、ＲＦリモコン制御部４１に引き渡す（ステップＳ１９）。ＲＦリモコン制御部４１は、ペアリング確認情報を受取り、ＲＦリモコン５とのペアリングが完了したことを確認したら、ペアリングが完了したことを表す信号であるＡＣＫコードを、本体制御部３４、ＨＤＭＩ制御部３６およびＣＥＣ通信部３７を介して、テレビ１に送信する（ステップＳ２０）。そして、テレビ１がこのＡＣＫコードを受信して（ステップＳ２１）、一連のペアリング動作が終了する。このとき、テレビ１は、動画再生装置３とＲＦリモコン５とのペアリングが完了したことを表すメッセージを、画像表示部１０に表示してもよい。
【００７５】
以上示したように、本実施の形態によれば、第１の機器（本実施の形態では、テレビ１）は、第１の機器とペアリングされたＲＦリモコン５に関する情報を、第１の機器にＨＤＭＩ−ＣＥＣ接続された第２の機器（本実施の形態では、動画再生装置３）にＣＥＣ通信で送信する。第２の機器は、受取ったその情報にもとづき、ＲＦリモコン５とのペアリングに必要なペアリング情報を作成し、第１の機器にＣＥＣ通信で送信することで、第１の機器を経由して、そのペアリング情報をＲＦリモコン５に送信する。これにより、ＲＦリモコン５と第２の機器との間で直接的に情報のやり取りを行わずとも、ＲＦリモコン５と第２の機器とのペアリングを行うことができる。したがって、ＲＦリモコン５と第２の機器とのペアリングを、ユーザー操作によって行う場合と比較して、ユーザーの負担を大幅に軽減して行うことが可能となる。
【００７６】
（実施の形態２）
実施の形態１では、ＲＦリモコン５に対するユーザー操作が発生しない構成を説明したが、例えば、ＲＦリモコン５に対するユーザー操作にもとづきペアリング動作を実行する構成とすることもできる。本実施の形態では、そのような構成にもとづくペアリング動作について説明する。
【００７７】
図４は、本発明の実施の形態２におけるリモートコントロールシステムにおいてテレビ１を介して動画再生装置３とＲＦリモコン５との間でペアリングを行うときのフローチャートである。
【００７８】
なお、本実施の形態におけるリモートコントロールシステムは、実施の形態１において図１に示した構成と同様であるので、説明を省略する。また、本実施の形態におけるステップＳ１からステップＳ１５までの各ステップは、実施の形態１における同ステップと同様であるので、説明を省略する。
【００７９】
ステップＳ１５の後、本体制御部１４は、ＲＦリモコン５と動画再生装置３とのペアリングを行うかどうかをユーザーに確認するメッセージを画像表示部１０に表示し（ステップＳ３０）、ＲＦリモコン５におけるペアリング実行のユーザー操作を待つ（ステップＳ３１）。なお、このメッセージの例としては、例えば「ペアリングを行う場合にはＲＦリモコンの「１」のボタンを、行わない場合には「９」のボタンを押して下さい」といったものを挙げることができる。
【００８０】
ステップＳ３１で、ペアリングの実行を指示するユーザー操作がＲＦリモコン５において受け付けられると、ＲＦリモコン制御部５１は、その結果を表す信号を、ＲＦ信号送受信部５２を介してテレビ１に送信する。なお、このときＲＦリモコン５がテレビ１に送信する信号は、例えば、「１」のボタンが押下されたことを表す信号や、「９」のボタンが押下されたことを表す信号等であり、ペアリングの実行、または中止を表す特有の信号をＲＦリモコン５が発生しているわけではない。
【００８１】
テレビ１において、ＲＦリモコン５から送信された信号がＲＦ信号送受信部２２で受信されると、受信された信号はＲＦリモコン制御部２１を介して本体制御部１４に転送される。そして、本体制御部１４において、その信号が、ペアリングの実行を表す信号（上述の例では、ＲＦリモコン５の「１」のボタンが押下されたことを表す信号）であることが確認されると、本体制御部１４は、ペアリングの実行を要求するペアリング要求コードを発生するための所定のユーザー操作を指示するメッセージを画像表示部１０に表示する（ステップＳ３２）。この所定のユーザー操作は、誤操作を防止するために、通常は行わないボタン操作であることが望ましい。この所定のユーザー操作を指示するメッセージの例（通常は行わないボタン操作の例）としては、例えば、「ＲＦリモコンの「１」のボタンと「９」のボタンを同時に押して下さい」、あるいは、「ＲＦリモコンの「１」のボタンを３秒間押し続けて下さい」といったものを挙げることができる。
【００８２】
ＲＦリモコン５において、ペアリング要求コードを発生するための所定のユーザー操作が受け付けられると、ＲＦリモコン制御部５１は、その結果を表す信号、すなわち、ペアリング要求コードを含む信号を発生し、ＲＦ信号送受信部５２を介してテレビ１に送信する（ステップＳ３３）。なお、この「ペアリング要求コード」とは、ペアリングの実行を要求する所定のユーザー操作によってのみ発生する特殊な信号のことである。上述の例では、「１」のボタンが３秒間連続して押下されたとき、あるいは「１」のボタンと「９」のボタンとが同時に押下されたときにのみ、この特殊な信号が発生する。
【００８３】
テレビ１において、ＲＦリモコン５から送信されてくる信号がＲＦ信号送受信部２２で受信されると、受信された信号はＲＦリモコン制御部２１を介して本体制御部１４に転送される。そして、本体制御部１４において、その信号に、ペアリング要求コード（上述の例では、「１」のボタンが３秒間連続して押下されたとき、あるいは「１」のボタンと「９」のボタンとが同時に押下されたときにのみ発生する）が含まれていることが確認されると、本体制御部１４は、動画再生装置３から受取ったペアリング情報を、ＲＦリモコン制御部２１に転送する。そして、第４ステップとして、ＲＦリモコン制御部２１は、そのペアリング情報を、ＲＦ信号送受信部２２を介してＲＦリモコン５に送信する（ステップＳ３４）。
【００８４】
ＲＦリモコン５では、テレビ１から送信されてくるペアリング情報をＲＦ信号送受信部５２で受信してＲＦリモコン制御部５１に引き渡し、ＲＦリモコン制御部５１は、受取ったペアリング情報を登録データ記憶部５３に記録する（ステップＳ３５）。なお、このペアリング情報には、動画再生装置３のＩＤデータが含まれているので、登録データ記憶部５３には動画再生装置３のＩＤデータが登録されることになる。
【００８５】
そして、ＲＦリモコン制御部５１は、動画再生装置３で作成されたペアリング情報が正常に受信されたことを表すペアリング確認情報を、ＲＦ信号送受信部５２を介して、動画再生装置３に送信する（ステップＳ３６）。
【００８６】
動画再生装置３では、ＲＦリモコン５から送信されてくるペアリング確認情報をＲＦ信号送受信部４２で受信し、ＲＦリモコン制御部４１に引き渡す（ステップＳ３７）。ＲＦリモコン制御部４１は、ペアリング確認情報を受取り、ＲＦリモコン５とのペアリングが完了したことを確認したら、ペアリングが完了したことを表す信号であるＡＣＫコードを本体制御部３４、ＨＤＭＩ制御部３６およびＣＥＣ通信部３７を介してテレビ１にＣＥＣ通信する（ステップＳ３８）。そして、テレビ１がこのＡＣＫコードを受信して（ステップＳ２１）、一連のペアリング動作が終了する。このとき、テレビ１は、動画再生装置３とＲＦリモコン５とのペアリングが完了したことを表すメッセージを、画像表示部１０に表示してもよい。
【００８７】
ステップＳ３１で、ペアリングの中止を指示するユーザー操作がＲＦリモコン５において受け付けられると、ＲＦリモコン制御部５１は、その結果を表す信号を、ＲＦ信号送受信部５２を介してテレビ１に送信する。テレビ１において、その信号がＲＦ信号送受信部２２で受信されると、受信された信号はＲＦリモコン制御部２１を介して本体制御部１４に転送される。そして、本体制御部１４において、その信号が、ペアリングの中止を表す信号（上述の例では、ＲＦリモコン５の「９」のボタンが押下されたことを表す信号）であることが確認されると、本体制御部１４は、ＲＦリモコン５と動画再生装置３とのペアリングが中止されたことを表すメッセージを画像表示部１０に表示する（ステップＳ３９）。そして、本体制御部１４は、ペアリングが中止されたことを表す信号を、ＨＤＭＩ制御部１６およびＣＥＣ通信部１７を介して動画再生装置３に送信する（ステップＳ４０）。
【００８８】
動画再生装置３では、テレビ１からＣＥＣ通信で送信されてくるペアリング中止の信号をＣＥＣ通信部３７で受信し、受信したペアリング中止の信号をＨＤＭＩ制御部３６を介して本体制御部３４に転送する。本体制御部３４は、受取った信号にペアリング中止に関する情報が含まれていることを確認したら、ＲＦリモコン制御部４１を介して、ペアリングが中止されたことを表す情報を登録データ記憶部４３に記録して（ステップＳ４１）、ペアリング動作が終了する。
【００８９】
以上示したように、本実施の形態では、ステップＳ３１において、ＲＦリモコン５でユーザー操作を受け付ける構成としている。したがって、ステップＳ３１におけるＲＦリモコン５へのユーザー操作が発生するまでの間、ＲＦリモコンの電源をオフすることができ、ＲＦリモコン５の消費電力を削減することができる。すなわち、本実施の形態によれば、ＲＦリモコン５と第２の機器とのペアリングを、ＲＦリモコン５における消費電力を削減しつつ、ユーザーの負担を軽減して行うことが可能となる。
【００９０】
（実施の形態３）
実施の形態１および実施の形態２では、第２の機器（例えば、動画再生装置３）で作成したペアリング情報を、第１の機器（例えば、テレビ１）を介してＲＦリモコン５に送信する構成を説明したが、例えば、第２の機器で作成したペアリング情報を、第２の機器からＲＦリモコン５に送信してペアリングを行う構成とすることもできる。本実施の形態では、そのような構成にもとづくペアリング動作について説明する。
【００９１】
図５は、本発明の実施の形態３におけるリモートコントロールシステムにおいてテレビ１を介さずに動画再生装置３とＲＦリモコン５との間でペアリングを行うときのフローチャートである。
【００９２】
なお、本実施の形態におけるリモートコントロールシステムは、実施の形態１において図１に示した構成と同様であるので、説明を省略する。また、本実施の形態におけるステップＳ１からステップＳ１３までの各ステップは、実施の形態１における同ステップと同様であるので、説明を省略する。
【００９３】
本体制御部３４は、ペアリング確認要求、すなわち、ＲＦリモコン５と動画再生装置３とのペアリングを行うかどうかをユーザーに確認するメッセージの表示をテレビ１に要求する信号を、ＨＤＭＩ制御部３６およびＣＥＣ通信部３７を介してテレビ１に送信する（ステップＳ５０）。
【００９４】
テレビ１では、動画再生装置３から送信されてくる信号をＣＥＣ通信部１７で受信すると、その信号をＨＤＭＩ制御部１６を介して本体制御部１４に送信する（ステップＳ５１）。本体制御部１４では、その信号に含まれるメッセージ表示の要求を表す情報にもとづき、画像表示部１０に、ＲＦリモコン５と動画再生装置３とのペアリングを行うかどうかをユーザーに確認するメッセージを表示して（ステップＳ５２）、ＲＦリモコン５におけるペアリング実行のユーザー操作（ステップＳ５３）を待つ。
【００９５】
なお、ステップＳ５０、ステップＳ５１、ステップＳ５２における動作は、本体制御部１４がテレビ１に備えられたＯＳＤを用いてこの確認メッセージを画像表示部１０に表示するように動画再生装置３からテレビ１に対して要求し、その要求にもとづきテレビ１がその確認メッセージを表示する動作であってもよい。あるいは、この確認メッセージを表す画像データを動画再生装置３からテレビ１にＨＤＭＩ送信するとともに、テレビ１にこの画像データを画像表示部１０に表示するように動画再生装置３から要求し、その要求にもとづきテレビ１がその画像データにもとづく画像（確認メッセージ）を表示する動作であってもよい。
【００９６】
なお、このメッセージの例としては、実施の形態２におけるステップＳ３０と同様に、例えば「ペアリングを行う場合にはＲＦリモコンの「１」のボタンを、行わない場合には「９」のボタンを押して下さい」といったものを挙げることができる。
【００９７】
ステップＳ５３で、ペアリングの実行を指示するユーザー操作がＲＦリモコン５において受け付けられると、ＲＦリモコン制御部５１は、その結果を表す信号を、ＲＦ信号送受信部５２を介してテレビ１に送信する。このときＲＦリモコン５がテレビ１に送信する信号は、実施の形態２と同様に、例えば、「１」のボタンが押下されたことを表す信号や、「９」のボタンが押下されたことを表す信号等であり、ペアリングの実行、または中止を表す特有の信号をＲＦリモコン５が発生しているわけではない。
【００９８】
テレビ１において、ＲＦリモコン５から送信された信号がＲＦ信号送受信部２２で受信されると、受信された信号はＲＦリモコン制御部２１を介して本体制御部１４に転送される。そして、本体制御部１４において、その信号が、ペアリングの実行を表す信号（上述の例では、ＲＦリモコン５の「１」のボタンが押下されたことを表す信号）であることが確認されると、本体制御部１４は、ペアリングの実行を要求するペアリング要求コードを発生するための所定のユーザー操作を指示するメッセージを画像表示部１０に表示する。あわせて、本体制御部１４は、ペアリングの実行が選択されたことを表す信号を、ＨＤＭＩ制御部１６およびＣＥＣ通信部１７を介して動画再生装置３に送信する（ステップＳ５４）。
【００９９】
この所定のユーザー操作は、実施の形態２におけるステップＳ３２と同様に、誤操作を防止するために通常は行わないボタン操作であることが望ましい。例えば、「ＲＦリモコンの「１」のボタンと「９」のボタンを同時に押して下さい」、あるいは、「ＲＦリモコンの「１」のボタンを３秒間押し続けて下さい」といったメッセージを、所定のユーザー操作を指示するメッセージの例として挙げることができる。
【０１００】
動画再生装置３では、テレビ１からＣＥＣ通信で送信されてくる信号をＣＥＣ通信部３７で受信すると、受信した信号をＨＤＭＩ制御部３６を介して本体制御部３４に転送する。本体制御部３４は、受取った信号にペアリングの実行が選択されたことを表す情報が含まれていることを確認したら、ペアリングを待ち受ける状態に入る（ステップＳ５５）。このペアリング待ち受け状態では、ＲＦリモコン５から送信される信号に動画再生装置３のＩＤコードが含まれていなくとも、ＲＦリモコン５から送信される信号にペアリング要求コードが含まれ、かつステップＳ３でテレビ１から送信されてきたリモコン識別情報に含まれるＩＤコード、すなわちＲＦリモコン５のＩＤコードが含まれていれば、その信号を動画再生装置３が受け付けるものとする。
【０１０１】
ＲＦリモコン５において、ペアリング要求コードを発生するための所定のユーザー操作が受け付けられると、ＲＦリモコン制御部５１は、その結果を表す信号、すなわち、ペアリング要求コードを含む信号を、ＲＦ信号送受信部５２を介して動画再生装置３に送信する（ステップＳ５６）。このときＲＦリモコン５が動画再生装置３に送信する信号は、実施の形態２と同様に、ペアリングの実行を要求するための特殊な信号であり、例えば「１」のボタンが３秒間連続して押下されたとき、あるいは「１」のボタンと「９」のボタンとが同時に押下されたときにのみ発生する。
【０１０２】
なお、この信号には、動画再生装置３のＩＤコードは含まれていないが、ＲＦリモコン５のＩＤコードが含まれている。したがって、動画再生装置３において、ＲＦリモコン５から送信されてくる信号がＲＦ信号送受信部４２で受信されると、受信された信号はＲＦリモコン制御部４１を介して本体制御部３４に転送される。そして、本体制御部３４において、その信号に、ペアリング要求コード（上述の例では、「１」のボタンが３秒間連続して押下されたとき、あるいは「１」のボタンと「９」のボタンとが同時に押下されたときにのみ発生する）が含まれていることが確認されると、本体制御部３４は、ＲＦリモコン制御部４１に対してＲＦリモコン５とのペアリングに必要なペアリング情報を要求する。その要求を受けたＲＦリモコン制御部４１は、第２ステップとしてペアリング情報を作成する。そして、第５ステップとして、ＲＦリモコン制御部４１は、そのペアリング情報を、ＲＦ信号送受信部４２を介してＲＦリモコン５に送信する（ステップＳ５７）。
【０１０３】
ＲＦリモコン５では、動画再生装置３から送信されてくるペアリング情報をＲＦ信号送受信部５２で受信してＲＦリモコン制御部５１に引き渡し、ＲＦリモコン制御部５１は、受取ったペアリング情報を登録データ記憶部５３に記録する（ステップＳ５８）。なお、このペアリング情報には、動画再生装置３のＩＤデータが含まれているので、登録データ記憶部５３には動画再生装置３のＩＤデータが登録されることになる。
【０１０４】
そして、ＲＦリモコン制御部５１は、動画再生装置３で作成されたペアリング情報が正常に受信されたことを表すペアリング確認情報を発生し、ＲＦ信号送受信部５２を介して、動画再生装置３に送信する（ステップＳ５９）。
【０１０５】
動画再生装置３では、ＲＦリモコン５から送信されてくるペアリング確認情報をＲＦ信号送受信部４２で受信し、ＲＦリモコン制御部４１に引き渡す（ステップＳ６０）。ＲＦリモコン制御部４１は、ペアリング確認情報を受取り、ＲＦリモコン５とのペアリングが完了したことを確認したら、ペアリングが完了したことを表す信号であるＡＣＫコードを、ＲＦ信号送受信部４２を介してＲＦリモコン５に送信する（ステップＳ６１）。そして、ＲＦリモコン５がこのＡＣＫコードを受信して（ステップＳ６２）、一連のペアリング動作が終了する。このとき、テレビ１は、動画再生装置３とＲＦリモコン５とのペアリングが完了したことを表すメッセージを、画像表示部１０に表示してもよい。
【０１０６】
ステップＳ５３で、ペアリングの中止を指示するユーザー操作がＲＦリモコン５において受け付けられると、ＲＦリモコン制御部５１は、その結果を表す信号を、ＲＦ信号送受信部５２を介してテレビ１に送信する。テレビ１において、その信号がＲＦ信号送受信部２２で受信されると、受信された信号はＲＦリモコン制御部２１を介して本体制御部１４に転送される。そして、本体制御部１４において、その信号が、ペアリングの中止を表す信号であることが確認されると、本体制御部１４は、ＲＦリモコン５と動画再生装置３とのペアリングが中止されたことを表すメッセージを画像表示部１０に表示する（ステップＳ６３）。そして、本体制御部１４は、ペアリングが中止されたことを表す信号を、ＨＤＭＩ制御部１６およびＣＥＣ通信部１７を介して動画再生装置３に送信する（ステップＳ６４）。
【０１０７】
動画再生装置３では、テレビ１からＣＥＣ通信で送信されてくるペアリング中止の信号をＣＥＣ通信部３７で受信し、受信したペアリング中止の信号をＨＤＭＩ制御部３６を介して本体制御部３４に転送する。本体制御部３４は、受取った信号にペアリング中止に関する情報が含まれていることを確認したら、ＲＦリモコン制御部４１を介して、ペアリングが中止されたことを表す情報を登録データ記憶部４３に記録して（ステップＳ６５）、ペアリング動作が終了する。
【０１０８】
なお、本実施の形態では、実施の形態１および実施の形態２とは異なり、第１の機器であるテレビ１を介さずにＲＦリモコン５と第２の機器である動画再生装置３とのペアリングを行うので、第３ステップ（ステップＳ１４）および第４ステップ（実施の形態１ではステップＳ１６、実施の形態２ではステップＳ３４）に相当するステップは発生させず、第３ステップ、第４ステップに代えて第５ステップ（ステップＳ５７）を発生させる構成としている。
【０１０９】
以上示したように、本実施の形態では、実施の形態１および実施の形態２とは異なり、第１の機器であるテレビ１を介さずにＲＦリモコン５と第２の機器である動画再生装置３とのペアリングを行う構成としている。そして、実施の形態２と同様に、ステップＳ５３におけるＲＦリモコン５へのユーザー操作が発生するまでの間、ＲＦリモコンの電源をオフすることができ、ＲＦリモコン５の消費電力を削減することができる。したがって、ＲＦリモコン５の消費電力を削減しつつ、ＲＦリモコン５と第２の機器とのペアリングを、ユーザーの負担を軽減して行うことが可能となる。
【０１１０】
なお、本発明における実施の形態においては、図１にテレビ１と動画再生装置３とがＨＤＭＩ−ＣＥＣ接続された構成を示しているが、例えば、ＨＤＭＩ−ＣＥＣに準拠した第３の機器（図示せず）が動画再生装置３にデイジーチェーン（Ｄａｉｓｙ  Ｃｈａｉｎ）接続され、テレビ１と第３の機器とが動画再生装置３を介して数珠つなぎにＨＤＭＩ−ＣＥＣ接続されていれば、テレビ１と第３の機器との間でＣＥＣ信号を送受信することも可能である。
【０１１１】
なお、本発明における実施の形態においては、図１に、テレビ１と動画再生装置３とをＨＤＭＩ−ＣＥＣに準拠したＨＤＭＩケーブル６で接続する例を示しているが、本発明はＨＤＭＩ−ＣＥＣ接続手段が何らＨＤＭＩケーブル６に限定されるものではない。例えば、テレビ１と動画再生装置３とがそれぞれＨＤＭＩ−ＣＥＣに準拠した無線信号を送受信可能な構成であれば、互いを無線接続してもかまわない。
【０１１２】
なお、本発明における実施の形態においては、ステップＳ１０に代えて、ペアリングするかどうかの選択をユーザーに確認し、その結果にもとづき、ペアリングの中止か継続かを決定するステップを設けてもよい。
【０１１３】
なお、本発明の実施の形態１においては、ペアリング強制中止操作であるステップＳ１１、およびその結果を表示するステップＳ１２を省略して、ユーザーに意識されることなくＲＦリモコン５と動画再生装置３とのペアリングが行われる構成としてもよい。
【０１１４】
なお、本発明の実施の形態２においては、ステップＳ３０において、ペアリング要求コードを発生するための所定のユーザー操作と、ペアリングを中止する操作とのいずれかを行うように指示するメッセージを画像表示部１０に表示して、ステップＳ３１、ステップＳ３２の一部を省略することも可能である。このメッセージの例としては、例えば、「ペアリングを行う場合にはＲＦリモコンの「１」のボタンと「９」のボタンを同時に押し、行わない場合には「５」のボタンを押して下さい」といったものを挙げることができる。
【０１１５】
なお、本発明の実施の形態３においては、ステップＳ５０、ステップＳ５１、ステップＳ５２における動作は、次のような動作であってもよい。すなわち、本体制御部１４がテレビ１に備えられたＯＳＤを用いてこの確認メッセージを画像表示部１０に表示するように動画再生装置３からテレビ１に対して要求し、その要求にもとづきテレビ１がその確認メッセージを表示する動作であってもよい。あるいは、このメッセージを表す画像データを動画再生装置３からテレビ１にＨＤＭＩ送信してテレビ１にこの画像データを画像表示部１０に表示するように動画再生装置３から要求し、その要求にもとづきテレビ１がその画像データにもとづく画像（このメッセージ）を表示する動作であってもよい。このメッセージの例としては、実施の形態２におけるステップＳ３０と同様に、例えば「ペアリングを行う場合にはＲＦリモコンの「１」のボタンを、行わない場合には「９」のボタンを押して下さい」といったものを挙げることができる。
【０１１６】
なお、本発明における実施の形態では、第１の機器をテレビ１とし、第２の機器を動画再生装置３とする構成を説明したが、本発明は何らこの構成に限定されるものではない。第１の機器はテレビ１以外の機器であってもよく、第２の機器は動画再生装置３以外の機器であってもよい。
【産業上の利用可能性】
【０１１７】
本発明は、第１の機器とペアリングされたＲＦリモコンを、第１の機器にＨＤＭＩ−ＣＥＣ接続された第２の機器にユーザーの負担を軽減してペアリングすることができるので、リモートコントロールシステム、テレビジョンセットおよびペアリング方法として有用である。
【符号の説明】
【０１１８】
１    テレビ（テレビジョンセット）
２，４    ＨＤＭＩコネクタ
３    動画再生装置
５    ＲＦリモコン（電波式リモートコントロール）
６    ＨＤＭＩケーブル
１０    画像表示部（表示部）
１１    パネル
１２    パネル駆動部
１３，３３    信号処理部
１４，３４    本体制御部
１５，３５    ＨＤＭＩ接続部
１６，３６    ＨＤＭＩ制御部
１７，３７    ＣＥＣ通信部
１８    ＨＤＭＩ受信部
２０，４０    ＲＦリモコン応答部
２１，４１，５１    ＲＦリモコン制御部
２２，４２，５２    ＲＦ信号送受信部
２３，４３，５３    登録データ記憶部
３０    録画再生部
３１    記録部
３２    記録制御部
３８    ＨＤＭＩ送信部
５０    操作受け付け部
【図１】
2010146806.tif 000003
【図２Ａ】
2010146806.tif 000004
【図２Ｂ】
2010146806.tif 000005
【図３】
2010146806.tif 000006
【図４】
2010146806.tif 000007
【図５】
2010146806.tif 000008
【手続補正書】
【提出日】平成23年11月22日(2011.11.22)
【手続補正２】
【補正対象書類名】明細書
【補正対象項目名】０００１
【補正方法】変更
【補正の内容】
【０００１】
本発明は、第１の機器とペアリングされたリモートコントロールを第１の機器に接続された第２の機器にペアリングすることが可能なリモートコントロールシステム、テレビジョン受信機およびペアリング方法に関する。
【手続補正３】
【補正対象書類名】明細書
【補正対象項目名】０００２
【補正方法】変更
【補正の内容】
【０００２】
近年、高精細な画像信号（例えば、ハイビジョン画像信号等）をデジタル信号に変換して送信するテレビジョン放送（以下、「デジタル放送」とも記す）が開始され、それに伴い、デジタル放送に対応した、薄型、大画面、高精細なテレビジョン受信機（以下、「デジタルテレビ」または単に「テレビ」とも記す）が普及してきている。
【手続補正４】
【補正対象書類名】明細書
【補正対象項目名】００２６
【補正方法】変更
【補正の内容】
【００２６】
本発明のペアリング方法は、第１の機器と、第１の機器と通信可能な状態で接続された第２の機器と、第１の機器との間であらかじめペアリングがなされたリモートコントロールとをシステム構成に含み、第１の機器に登録されているリモートコントロールの識別情報を第１の機器から第２の機器へ送信する第１ステップと、第２の機器の識別情報を含むペアリング情報を第２の機器から第１の機器へ送信する第２ステップと、第１の機器が受信したペアリング情報を第１の機器からリモートコントロールへ送信する第３ステップと、を含むことを特徴とする。
【手続補正５】
【補正対象書類名】明細書
【補正対象項目名】００２８
【補正方法】変更
【補正の内容】
【００２８】
また、本発明のテレビジョン受信機は、表示部と、本体制御部と、あらかじめペアリングがなされたリモートコントロールとの間で電波の送受信を行うリモコン応答部と、他の機器との接続が可能な接続部と、を備え、本体制御部は、接続部に接続された第２の機器へ、接続部を介してリモートコントロールの識別情報を送信することを特徴とする。
【手続補正６】
【補正対象書類名】明細書
【補正対象項目名】００２９
【補正方法】変更
【補正の内容】
【００２９】
これにより、第１の機器であるテレビジョン受信機とペアリングされたＲＦリモコンを、テレビジョン受信機にＨＤＭＩ−ＣＥＣ接続された第２の機器にペアリングする際のユーザー操作を軽減することができる。
【手続補正７】
【補正対象書類名】明細書
【補正対象項目名】００３０
【補正方法】変更
【補正の内容】
【００３０】
また、本発明の動画再生装置は、動画再生部と、本体制御部と、外部機器との接続が可能な接続部と、リモートコントロールとの間で電波の送受信を行うリモコン応答部と、を備え、本体制御部は、接続部に接続された第１の機器から、第１の機器にペアリングがなされたリモートコントロールの識別情報を、接続部を介して受信し、リモコン応答部は、本体制御部がリモートコントロールの識別情報を受信した後、リモートコントロールとの間のペアリングに必要な、自身の識別情報を含むペアリング情報を作成し、作成したペアリング情報を第１の機器、またはリモートコントロールに送信することを特徴とする。
【手続補正８】
【補正対象書類名】明細書
【補正対象項目名】００３２
【補正方法】変更
【補正の内容】
【００３２】
また、本発明のリモートコントロールシステムは、第１の機器と、第１の機器と通信可能な状態で接続された第２の機器と、第１の機器との間であらかじめペアリングがなされたリモートコントロールとをシステム構成に含み、第１の機器は、第１の機器に登録されているリモートコントロールの識別情報を第２の機器へ送信し、第２の機器は、第１の機器から送信されるリモートコントロールの識別情報を受信後、第２の機器の識別情報を含むペアリング情報を第１の機器へ送信し、第１の機器は、第２の機器から送信されるペアリング情報を受信後、そのペアリング情報をリモートコントロールへ送信することを特徴とする。
【手続補正９】
【補正対象書類名】明細書
【補正対象項目名】００３６
【補正方法】変更
【補正の内容】
【００３６】
（実施の形態１）
図１は、本発明の実施の形態１におけるリモートコントロールシステムの構成の一例を示すブロック図である。図１に示すように、本実施の形態におけるリモートコントロールシステムは、第１の機器であるテレビ１、第２の機器である動画再生装置３、リモートコントロールであるＲＦリモコン５で構成される。しかし、図１に示す構成は本実施の形態における一構成例に過ぎず、本発明のリモートコントロールシステムは何ら図１に示す構成に限定されるものではない。
【手続補正１０】
【補正対象書類名】明細書
【補正対象項目名】００３７
【補正方法】変更
【補正の内容】
【００３７】
テレビ１は、表示部である画像表示部１０、本体制御部１４、接続部であるＨＤＭＩ接続部１５、リモコン応答部であるＲＦリモコン応答部２０、ＨＤＭＩコネクタ２、音声出力部（図示せず）を有する。
【手続補正１１】
【補正対象書類名】明細書
【補正対象項目名】００４６
【補正方法】変更
【補正の内容】
【００４６】
動画再生装置３は、動画再生部である録画再生部３０、本体制御部３４、接続部であるＨＤＭＩ接続部３５、リモコン応答部であるＲＦリモコン応答部４０、ＨＤＭＩコネクタ４を有する。
【手続補正１２】
【補正対象書類名】明細書
【補正対象項目名】００６９
【補正方法】変更
【補正の内容】
【００６９】
ステップＳ１１において、ペアリング強制中止の操作が確認されなければ、本体制御部３４は、ＲＦリモコン制御部４１に対してＲＦリモコン５とのペアリングに必要なペアリング情報を要求する。その要求を受けたＲＦリモコン制御部４１は、ペアリング情報を作成する。そして、そのペアリング情報を本体制御部３４を介してＨＤＭＩ制御部３６に送信する（ステップＳ１３）。
【手続補正１３】
【補正対象書類名】明細書
【補正対象項目名】００７０
【補正方法】変更
【補正の内容】
【００７０】
そして、第２ステップとして、ＨＤＭＩ制御部３６は、そのペアリング情報を、ＣＥＣ通信部３７を介してテレビ１に送信する（ステップＳ１４）。
【手続補正１４】
【補正対象書類名】明細書
【補正対象項目名】００７１
【補正方法】変更
【補正の内容】
【００７１】
テレビ１では、動画再生装置３からＣＥＣ通信で送信されてくるペアリング情報をＣＥＣ通信部１７で受信し、受信したペアリング情報をＨＤＭＩ制御部１６を介して本体制御部１４に転送する（ステップＳ１５）。そして、本体制御部１４は、ペアリング情報をＲＦリモコン制御部２１に転送する。そして、第３ステップとして、ＲＦリモコン制御部２１は、受取ったペアリング情報を、ＲＦ信号送受信部２２を介してＲＦリモコン５に送信する（ステップＳ１６）。
【手続補正１５】
【補正対象書類名】明細書
【補正対象項目名】００８３
【補正方法】変更
【補正の内容】
【００８３】
テレビ１において、ＲＦリモコン５から送信されてくる信号がＲＦ信号送受信部２２で受信されると、受信された信号はＲＦリモコン制御部２１を介して本体制御部１４に転送される。そして、本体制御部１４において、その信号に、ペアリング要求コード（上述の例では、「１」のボタンが３秒間連続して押下されたとき、あるいは「１」のボタンと「９」のボタンとが同時に押下されたときにのみ発生する）が含まれていることが確認されると、本体制御部１４は、動画再生装置３から受取ったペアリング情報を、ＲＦリモコン制御部２１に転送する。そして、第３ステップとして、ＲＦリモコン制御部２１は、そのペアリング情報を、ＲＦ信号送受信部２２を介してＲＦリモコン５に送信する（ステップＳ３４）。
【手続補正１６】
【補正対象書類名】明細書
【補正対象項目名】０１０２
【補正方法】変更
【補正の内容】
【０１０２】
なお、この信号には、動画再生装置３のＩＤコードは含まれていないが、ＲＦリモコン５のＩＤコードが含まれている。したがって、動画再生装置３において、ＲＦリモコン５から送信されてくる信号がＲＦ信号送受信部４２で受信されると、受信された信号はＲＦリモコン制御部４１を介して本体制御部３４に転送される。そして、本体制御部３４において、その信号に、ペアリング要求コード（上述の例では、「１」のボタンが３秒間連続して押下されたとき、あるいは「１」のボタンと「９」のボタンとが同時に押下されたときにのみ発生する）が含まれていることが確認されると、本体制御部３４は、ＲＦリモコン制御部４１に対してＲＦリモコン５とのペアリングに必要なペアリング情報を要求する。その要求を受けたＲＦリモコン制御部４１は、ペアリング情報を作成する。そして、第４ステップとして、ＲＦリモコン制御部４１は、そのペアリング情報を、ＲＦ信号送受信部４２を介してＲＦリモコン５に送信する（ステップＳ５７）。
【手続補正１７】
【補正対象書類名】明細書
【補正対象項目名】０１０８
【補正方法】変更
【補正の内容】
【０１０８】
なお、本実施の形態では、実施の形態１および実施の形態２とは異なり、第１の機器であるテレビ１を介さずにＲＦリモコン５と第２の機器である動画再生装置３とのペアリングを行うので、第２ステップ（ステップＳ１４）および第３ステップ（実施の形態１ではステップＳ１６、実施の形態２ではステップＳ３４）に相当するステップは発生させず、第２ステップ、第３ステップに代えて第４ステップ（ステップＳ５７）を発生させる構成としている。
【手続補正１８】
【補正対象書類名】明細書
【補正対象項目名】０１１７
【補正方法】変更
【補正の内容】
【０１１７】
本発明は、第１の機器とペアリングされたＲＦリモコンを、第１の機器にＨＤＭＩ−ＣＥＣ接続された第２の機器にユーザーの負担を軽減してペアリングすることができるので、リモートコントロールシステム、テレビジョン受信機およびペアリング方法として有用である。
【手続補正１９】
【補正対象書類名】明細書
【補正対象項目名】０１１８
【補正方法】変更
【補正の内容】
【０１１８】
１  テレビ（テレビジョン受信機）
２，４  ＨＤＭＩコネクタ
３  動画再生装置
５  ＲＦリモコン（電波式リモートコントロール）
６  ＨＤＭＩケーブル
１０  画像表示部（表示部）
１１  パネル
１２  パネル駆動部
１３，３３  信号処理部
１４，３４  本体制御部
１５，３５  ＨＤＭＩ接続部
１６，３６  ＨＤＭＩ制御部
１７，３７  ＣＥＣ通信部
１８  ＨＤＭＩ受信部
２０，４０  ＲＦリモコン応答部
２１，４１，５１  ＲＦリモコン制御部
２２，４２，５２  ＲＦ信号送受信部
２３，４３，５３  登録データ記憶部
３０  録画再生部
３１  記録部
３２  記録制御部
３８  ＨＤＭＩ送信部
５０  操作受け付け部
【手続補正２０】
【補正対象書類名】特許請求の範囲
【補正対象項目名】全文
【補正方法】変更
【補正の内容】
【特許請求の範囲】
【請求項１】
第１の機器と、
前記第１の機器と通信可能な状態で接続された第２の機器と、
前記第１の機器との間であらかじめペアリングがなされたリモートコントロールとをシステム構成に含み、
前記第１の機器に登録されている前記リモートコントロールの識別情報を前記第１の機器から前記第２の機器へ送信する第１ステップと、
前記第２の機器の識別情報を含むペアリング情報を前記第２の機器から前記第１の機器へ送信する第２ステップと、
前記第１の機器が受信した前記ペアリング情報を前記第１の機器から前記リモートコントロールへ送信する第３ステップと、
を含むことを特徴とするペアリング方法。
【請求項２】
前記第２の機器は、前記第１の機器にＨＤＭＩ−ＣＥＣ接続された
ことを特徴とする請求項１に記載のペアリング方法。
【請求項３】
前記第１の機器は、表示部を有する
ことを特徴とする請求項１に記載のペアリング方法。
【請求項４】
前記第１ステップにより前記第２の機器において前記リモートコントロールの識別情報が受信された後、前記第２の機器が前記リモートコントロールに対応しているかどうかを判断するステップ、をさらに備え、
前記第２の機器が前記リモートコントロールに対応していなければ、ペアリング動作を終了することを特徴とする請求項１に記載のペアリング方法。
【請求項５】
前記第１ステップにより、前記第２の機器において前記リモートコントロールの識別情報を受信した後、前記第２の機器が前記リモートコントロールとすでにペアリングされているかどうかを判断するステップ、をさらに備え、
前記第２の機器がすでに前記リモートコントロールとペアリングされていれば、ペアリング動作を終了することを特徴とする請求項１に記載のペアリング方法。
【請求項６】
前記第２ステップの後、前記第１の機器において前記リモートコントロールと前記第２の機器とのペアリングの実行を確認する表示を前記表示部に表示するステップと、
前記リモートコントロールにおいてペアリングの実行を要求するペアリング要求コードを発生するための所定のユーザー操作が受け付けられたときに、前記ペアリング要求コードを前記リモートコントロールから前記第１の機器へ送信するステップと、をさらに備え、
前記第１の機器において前記ペアリング要求コードを受信した後で前記第３ステップを実行することを特徴とする請求項３に記載のペアリング方法。
【請求項７】
前記リモートコントロールにおいてペアリングの中止を指示するユーザー操作が受け付けられたときに、前記リモートコントロールと前記第２の機器とのペアリングが中止されたことを表す信号を前記第１の機器から前記第２の機器へ送信するステップと、
前記第２の機器において前記リモートコントロールと前記第２の機器とのペアリングが中止されたことを表す信号を受け付けた後、ペアリングが中止されたことを表す情報を前記第２の機器が記憶するステップと、
をさらに備えたことを特徴とする請求項６に記載のペアリング方法。
【請求項８】
前記第１ステップにより、前記第２の機器において前記リモートコントロールの識別情報を受信した後、過去に前記リモートコントロールとのペアリングが中止されたかどうかを判断するステップ、をさらに備え、
過去にペアリングが中止されていれば、ペアリング動作を終了することを特徴とする請求項７に記載のペアリング方法。
【請求項９】
前記リモートコントロールと前記第２の機器とのペアリングを実行するかどうかを確認するペアリング確認要求を前記第２の機器から前記第１の機器に送信するステップと、
前記第２の機器から送信される前記ペアリング確認要求にもとづき、前記第１の機器において前記リモートコントロールと前記第２の機器とのペアリングの実行を確認する表示を前記表示部に表示するステップと、
前記リモートコントロールにおいてペアリングの実行を指示するユーザー操作が受け付けられたときに、前記リモートコントロールと前記第２の機器とのペアリングの実行が選択されたことを表す信号を前記第１の機器から前記第２の機器へ送信するとともに、ペアリングの実行を要求するペアリング要求コードを発生するための所定のユーザー操作を指示する表示を前記表示部に表示するステップと、
前記リモートコントロールにおいて前記所定のユーザー操作が受け付けられたときに、前記ペアリング要求コードを前記リモートコントロールから前記第２の機器へ送信するステップと、
前記第２ステップおよび前記第３ステップに代えて、前記ペアリング情報を前記第２の機器から前記リモートコントロールへ送信する第４ステップと、
をさらに備えたことを特徴とする請求項３に記載のペアリング方法。
【請求項１０】
前記第４ステップの後、前記リモートコントロールにおいて前記ペアリング情報が正常に受信されたときに、前記第２の機器の識別情報を前記リモートコントロールに登録するとともに、前記ペアリング情報が正常に受信されたことを表すペアリング確認情報を前記リモートコントロールから前記第２の機器へ送信するステップと、
前記第２の機器において前記リモートコントロールから送信される前記ペアリング確認情報が受信された後、ペアリングの完了を表す情報を前記第２の機器から前記リモートコントロールへ送信するステップと、
をさらに備えたことを特徴とする請求項９に記載のペアリング方法。
【請求項１１】
前記リモートコントロールにおいてペアリングの中止を指示するユーザー操作が受け付けられたときに、前記リモートコントロールと前記第２の機器とのペアリングが中止されたことを表す信号を前記第１の機器から前記第２の機器へ送信するステップと、
前記第２の機器において前記リモートコントロールと前記第２の機器とのペアリングが中止されたことを表す信号を受け付けた後、ペアリングが中止されたことを表す情報を前記第２の機器が記憶するステップと、
をさらに備えたことを特徴とする請求項９に記載のペアリング方法。
【請求項１２】
前記ペアリング情報を前記第２の機器において作成するステップをさらに備えたことを特徴とする請求項１に記載のペアリング方法。
【請求項１３】
表示部と、
本体制御部と、
あらかじめペアリングがなされたリモートコントロールとの間で電波の送受信を行うリモコン応答部と、
他の機器との接続が可能な接続部と、を備え、
前記本体制御部は、前記接続部に接続された第２の機器へ、前記接続部を介して前記リモートコントロールの識別情報を送信することを特徴とするテレビジョン受信機。
【請求項１４】
前記接続部は、ＨＤＭＩ−ＣＥＣに準拠した機器とのＨＤＭＩ−ＣＥＣ接続が可能である
ことを特徴とする請求項１３に記載のテレビジョン受信機。
【請求項１５】
前記本体制御部は、前記第２の機器から前記接続部を介して送信される前記第２の機器の識別情報を含むペアリング情報を受信し、
受信した前記ペアリング情報を前記リモコン応答部を介して前記リモートコントロールへ送信することを特徴とする請求項１３に記載のテレビジョン受信機。
【請求項１６】
前記本体制御部は、前記第２の機器から前記接続部を介して送信される前記第２の機器の識別情報を含むペアリング情報を受信した後、前記リモートコントロールと前記第２の機器とのペアリングの実行を確認する表示を前記表示部に表示し、
前記リモートコントロールから送信されるペアリングの実行を要求するペアリング要求コードを前記リモコン応答部を介して受信したときには、前記ペアリング情報を前記リモコン応答部を介して前記リモートコントロールへ送信し、
前記リモートコントロールから送信されるペアリングの中止指示を前記リモコン応答部を介して受信したときには、前記リモートコントロールと前記第２の機器とのペアリングの中止を表す信号を前記接続部を介して前記第２の機器へ送信することを特徴とする請求項１３に記載のテレビジョン受信機。
【請求項１７】
前記本体制御部は、
前記第２の機器から前記接続部を介して送信される前記リモートコントロールと前記第２の機器とのペアリングを実行するかどうかを確認するペアリング確認要求を受信した後、前記リモートコントロールと前記第２の機器とのペアリングの実行を確認する表示を前記表示部に表示し、
前記リモートコントロールから送信されるペアリングの実行を表す信号を前記リモコン応答部を介して受信したときには、前記リモートコントロールと前記第２の機器とのペアリングの実行を表す信号を前記接続部を介して前記第２の機器へ送信するとともに、ペアリングの実行を要求するペアリング要求コードを発生するための所定のユーザー操作を指示する表示を前記表示部に表示し、
前記リモートコントロールから送信されるペアリングの中止を表す信号を前記リモコン応答部を介して受信したときには、前記リモートコントロールと前記第２の機器とのペアリングの中止を表す信号を前記接続部を介して前記第２の機器へ送信することを特徴とする請求項１３に記載のテレビジョン受信機。
【請求項１８】
動画再生部と、
本体制御部と、
外部機器との接続が可能な接続部と、
リモートコントロールとの間で電波の送受信を行うリモコン応答部と、を備え、
前記本体制御部は、前記接続部に接続された第１の機器から、前記第１の機器にペアリングがなされたリモートコントロールの識別情報を、前記接続部を介して受信し、
前記リモコン応答部は、前記本体制御部が前記リモートコントロールの識別情報を受信した後、前記リモートコントロールとの間のペアリングに必要な、自身の識別情報を含むペアリング情報を作成し、前記ペアリング情報を前記第１の機器、または前記リモートコントロールに送信することを特徴とする動画再生装置。
【請求項１９】
前記接続部は、ＨＤＭＩ−ＣＥＣに準拠した機器とのＨＤＭＩ−ＣＥＣ接続が可能である
ことを特徴とする請求項１８に記載の動画再生装置。
【請求項２０】
第１の機器と、
前記第１の機器と通信可能な状態で接続された第２の機器と、
前記第１の機器との間であらかじめペアリングがなされたリモートコントロールとをシステム構成に含み、
前記第１の機器は、前記第１の機器に登録されている前記リモートコントロールの識別情報を前記第２の機器へ送信し、
前記第２の機器は、前記第１の機器から送信される前記リモートコントロールの識別情報を受信後、前記第２の機器の識別情報を含むペアリング情報を前記第１の機器へ送信し、
前記第１の機器は、前記第２の機器から送信される前記ペアリング情報を受信後、前記ペアリング情報を前記リモートコントロールへ送信する
ことを特徴とするリモートコントロールシステム。
【国際調査報告】
2010146806.tif 000009
2010146806.tif 000010
2010146806.tif 000011
2010146806.tif 000012